(57)【要約】【課題】  キャリアシートを読み取り可能な画像読取装置を提供する。【解決手段】  原稿をスイッチバックさせて原稿に記録された画像データの両面を読み取り可能な画像読取装置において、キャリアシートを用いて、且つ、キャリアシートの両面を読み取る際に、順序性を保つための搬送（スイッチバック）を実行させないことで、シート搬送の回数を抑制する。【選択図】  図３
2005082274.tif 000002
【特許請求の範囲】
【請求項１】
記録媒体をスイッチバックさせて前記記録媒体上に記録された画像データの両面を読み取り可能な画像読取装置であって、
キャリアシートを用いて、且つ、キャリアシートの両面を読み取る処理を実行させるキャリアシート両面読取設定手段と、
前記キャリアシート両面読取設定手段によりキャリアシートの両面を読み取る処理が実行された際に、前記スイッチバックを実行させないスイッチバック不実行手段と、
を有することを特徴とする画像読取装置。
【請求項２】
キャリアシートを用いて、且つ、キャリアシートの片面を読み取る処理を実行させるキャリアシート片面読取設定手段を更に有し、
前記スイッチバック不実行手段は、
前記キャリアシート片面読取設定手段によりキャリアシートの片面を読み取る処理が実行された際に、前記スイッチバックを実行させないことを特徴とする請求項１記載の画像読取装置。
【請求項３】
前記記録媒体の読み取り時の白基準を構成する白圧板を移動する白圧板移動手段を更に有し、
前記白圧板移動手段は、
前記キャリアシート両面読取設定手段によりキャリアシートの両面を読み取る処理が実行された際に、前記白圧板を移動し、
前記キャリアシート片面読取設定手段によりキャリアシートの片面を読み取る処理が実行された際に、前記白圧板を移動することを特徴とする請求項１または２記載の画像読取装置。
【請求項４】
前記白圧板移動手段は、前記白圧板を押し上げるレバー部材と、前記レバー部材を回転させる軸部材と、前記軸部材を回転させるアーム部材と、前記アーム部材を回転させるソレノイドとで構成されてなることを特徴とする請求項３記載の画像読取装置。
【請求項５】
前記キャリアシート両面読取設定手段によりキャリアシートの両面を読み取った画像、または、前記キャリアシート片面読取設定手段によりキャリアシートの片面を読み取った画像の少なくとも一方の画像を外部の通信機器に送信する通信手段を更に有することを特徴とする請求項１から３の何れか１項に記載の画像読取装置。
【請求項６】
記録媒体の読み取り時の白基準を構成する白圧板を移動する白圧板移動手段を有し、前記記録媒体の片面を読み取り可能な片面画像読取装置であって、
キャリアシートの読み取り処理を実行させるキャリアシート読取設定手段を有し、
前記キャリアシート読取設定手段によりキャリアシートを読み取る処理が実行された際に、前記白圧板移動手段が、前記白圧板を移動することを特徴とする片面画像読取装置。
【請求項７】
前記白圧板移動手段は、前記白圧板を押し上げるレバー部材と、前記レバー部材を回転させる軸部材と、前記軸部材を回転させるアーム部材と、前記アーム部材を回転させるソレノイドとで構成されてなることを特徴とする請求項５記載の片面画像読取装置。
【請求項８】
前記キャリアシート読取設定手段によりキャリアシートを読み取った画像を外部の通信機器に送信する通信手段を更に有することを特徴とする請求項６記載の片面画像読取装置。
【請求項９】
請求項１から５の何れか１項に記載の画像読取装置、または、請求項６から８の何れか１項に記載の片面画像読取装置を具備し、前記画像読取装置、または、前記片面画像読取装置の画像を記録することを特徴とする画像記録装置。
【発明の詳細な説明】
【技術分野】
【０００１】
本発明は、複写機、ファクシミリ、スキャナ等の画像読取装置に関し、特に、複数の原稿束から原稿を１枚ずつ分離して搬送しながら、読取位置に設けられた画像読取手段により原稿を読み取ることが可能な自動原稿搬送手段を具備する画像読取装置に関するものである。
【背景技術】
【０００２】
従来、両面搬送モードによる搬送時に、所定の原稿の後端をスイッチバック部材より下流側へ排出させることにより、ユーザが所定の原稿を取り除く作業を不要にすることができると共に、所定の原稿を原稿反転台から排出することにより、ユーザが異常動作を瞬時に判断することが可能となる画像読取装置がある（例えば、特許文献１参照）。
【０００３】
この特許文献１の画像読取装置は、スリットガラスおよび読取時の白基準を構成する白圧板により構成される読み取り位置に、原稿を一定速度で搬送することで、その読取位置で静止した画像読取手段により原稿を読み取ることが可能な自動原稿搬送装置を具備し、その自動原稿搬送装置が、原稿載置台に載置された原稿束から原稿を１枚ずつ分離して給紙する分離給紙手段と、前記分離給紙手段により分離給紙された原稿を反転させて、前記読取位置に導く第１搬送路と、前記読取位置から原稿排紙口を介して原稿排紙台に原稿を導く排紙路と、前記原稿載置台と前記原稿排紙台との間で前記排紙路の延長上に設けられた原稿反転台と、前記原稿反転台から前記第１搬送路へ原稿を導く第２搬送路と、前記原稿反転台上に設けられ、正逆回転可能なスイッチバック部材と、原稿の両面搬送モードまたは片面搬送モードに応じて、前記読取位置から搬送される原稿の搬送経路を原稿排紙台または原稿判定台の何れか一方に切り換える切換手段と、を具備し、両面搬送モード時に原稿反転台に搬送された原稿を第２搬送路に搬送するために切換手段が原稿反転台と第２搬送路とを連通するようにしている。
【特許文献１】特開平１０−２６８４４２号公報
【発明の開示】
【発明が解決しようとする課題】
【０００４】
しかしながら、近年の画像読取装置は、用紙の表面、裏面の両面を読み取ることが可能な画像読取装置が要望されている。また、原稿によっては、キャリアシートでなければ遅れない原稿もあることから、キャリアシートを読み取り可能な画像読取装置が要望されている。
【０００５】
本発明は上記事情に鑑みてなされたものであり、キャリアシートを読み取り可能な画像読取装置、片面画像読取装置および画像記録装置を提供することを目的とする。
【課題を解決するための手段】
【０００６】
かかる目的を達成するために、本発明は以下の特徴を有する。
【０００７】
本発明にかかる画像読取装置は、記録媒体をスイッチバックさせて記録媒体上に記録された画像データの両面を読み取り可能な画像読取装置であって、キャリアシートを用いて、且つ、キャリアシートの両面を読み取る処理を実行させるキャリアシート両面読取設定手段と、キャリアシート両面読取設定手段によりキャリアシートの両面を読み取る処理が実行された際に、スイッチバックを実行させないスイッチバック不実行手段と、を有することを特徴とする。
【０００８】
また、本発明にかかる画像読取装置は、キャリアシートを用いて、且つ、キャリアシートの片面を読み取る処理を実行させるキャリアシート片面読取設定手段を更に有し、スイッチバック不実行手段は、キャリアシート片面読取設定手段によりキャリアシートの片面を読み取る処理が実行された際に、スイッチバックを実行させないことを特徴とする。
【０００９】
また、本発明にかかる画像読取装置は、記録媒体の読み取り時の白基準を構成する白圧板を移動する白圧板移動手段を更に有し、白圧板移動手段は、キャリアシート両面読取設定手段によりキャリアシートの両面を読み取る処理が実行された際に、白圧板を移動し、キャリアシート片面読取設定手段によりキャリアシートの片面を読み取る処理が実行された際に、白圧板を移動することを特徴とする。
【００１０】
また、本発明にかかる画像読取装置は、白圧板移動手段は、白圧板を押し上げるレバー部材と、レバー部材を回転させる軸部材と、軸部材を回転させるアーム部材と、アーム部材を回転させるソレノイドとで構成されてなることを特徴とする。
【００１１】
また、本発明にかかる画像読取装置は、キャリアシート両面読取設定手段によりキャリアシートの両面を読み取った画像、または、キャリアシート片面読取設定手段によりキャリアシートの片面を読み取った画像の少なくとも一方の画像を外部の通信機器に送信する通信手段を更に有することを特徴とする。
【００１２】
また、本発明にかかる片面画像読取装置は、記録媒体の読み取り時の白基準を構成する白圧板を移動する白圧板移動手段を有し、記録媒体の片面を読み取り可能な片面画像読取装置であって、キャリアシートの読み取り処理を実行させるキャリアシート読取設定手段を有し、キャリアシート読取設定手段によりキャリアシートを読み取る処理が実行された際に、白圧板移動手段が、白圧板を移動することを特徴とする。
【００１３】
また、本発明にかかる片面画像読取装置は、白圧板移動手段は、白圧板を押し上げるレバー部材と、レバー部材を回転させる軸部材と、軸部材を回転させるアーム部材と、アーム部材を回転させるソレノイドとで構成されてなることを特徴とする。
【００１４】
また、本発明にかかる片面画像読取装置は、キャリアシート読取設定手段によりキャリアシートを読み取った画像を外部の通信機器に送信する通信手段を更に有することを特徴とする。
【００１５】
また、本発明にかかる画像記録装置は、上記記載の画像読取装置、または、上記記載の片面画像読取装置を具備し、画像読取装置、または、片面画像読取装置の画像を記録することを特徴とする。
【発明の効果】
【００１６】
本発明によれば、キャリアシートを読み取る際に、キャリアシートと読取部材または白圧板が接触する機会を少なくし、読取部材にトナーや紙粉等のごみが付着して汚れてしまうのを防止することができ、読取性能が低下するのを抑制することができる。
【発明を実施するための最良の形態】
【００１７】
本発明にかかる画像読取装置は、原稿をスイッチバックさせて原稿に記録された画像データの両面を読み取る画像読取装置において、キャリアシートを用いて、且つ、キャリアシートの両面を読み取る際に、順序性を保つための搬送（スイッチバック）を実行させないことで、シート搬送の回数を通常の３回から２回にすることが可能となり、キャリアシートの読み取り時間の短縮、画像読み取り時の白基準を構成する白圧板へのダメージの低減が可能となる。
【実施例１】
【００１８】
以下、添付図面を参照しながら、本発明にかかる画像読取装置について説明する。
なお、図１〜図９は本発明に係る画像読取装置を示す図であり、画像読取装置としてファクシミリ装置を用いた例を示している。なお、画像読取装置としては、ファクシミリ装置の他に複写機、スキャナ等に適用することが可能である。
【００１９】
まず、図１〜図４を参照しながら、本発明にかかる画像読取装置の構成について説明する。図１は、画像読取装置としてのファクシミリ装置の概略構成図であり、このファクシミリ装置１の上面には密着イメージセンサ２とコンタクトガラス３とが設けられている。
【００２０】
密着イメージセンサ（読取部材）２は、搬送される原稿を読み取るための読取位置上に設けられており、ファクシミリ装置１の上面に固定され、原稿を読み取って画像データを出力する。
【００２１】
また、コンタクトガラス３の下方には、露光ランプ４ａ、ミラー４ｂ、レンズ４ｃおよびＣＣＤ等の固体撮像素子４ｄが設けられており、露光ランプ４ａとミラー４ｂは、コンタクトガラス３に載置された原稿を読み取る際に、コンタクトガラス３の下方で図１中、左右方向に移動し、露光ランプ４ａにより原稿面を読み取った後、この反射光をミラー４ｂ、レンズ４ｃを介して固体撮像素子４ｄに結像し、この固体撮像素子４ｄにより電気信号に変換して画像データを出力することになる。
【００２２】
なお、本実施例では、密着イメージセンサ２が、画像読取手段１１０（図２参照）を構成しており、この密着イメージセンサ２に加えて露光ランプ４ａ、ミラー４ｂ、レンズ４ｃおよび固体撮像素子４ｄも画像読取手段１１０に含むものとする。
【００２３】
密着イメージセンサ２および固体撮像素子４ｄから出力される画像データは、画像メモリ５（図２参照）に一旦蓄積されるようになっており、この蓄積された画像データは、レーザダイオード６ａからポリゴンミラー６ｂを介して感光体ドラム７に照射されたり、あるいは図示しない通信手段により通信回線を介して外部の通信機器に送信されたりすることになる。
【００２４】
感光体ドラム７は、図示しない帯電ユニットにより帯電され、感光体ドラム７に照射された画像データは静電潜像となって感光体ドラム７の表面に形成される。そして、感光体ドラム７に形成された画像データは、現像器８によりトナー画像に形成され、その形成されたトナー画像は給紙カセット９、１０の何れか一方から給紙ローラ９ａまたは１０ａを介して搬送ローラ１１により給紙され、レジストローラ１２でタイミングを取られて搬送される記録紙上に転写されることになる。
【００２５】
そして、トナー画像が転写された記録紙は、定着ユニット１３によりトナー画像が定着された後、排紙ローラ１４によりファクシミリ装置１内に設けられた排紙部１５に排紙される。
【００２６】
また、ファクシミリ装置１の本体一側面には手差しトレイ１６が開閉可能に設けられており、手差しトレイ１６の開放時に、この手差しトレイ１６にセットされた記録紙は手差し用の給紙ローラ１７により感光体ドラム７に給紙される。また、ファクシミリ装置１の本体他側面には、排紙カバー１８が開閉可能に設けられており、排紙カバー１８の開放時には、切換爪１９が定着ユニット１３と排紙カバー１８とを連通する連通路を確保することにより、記録紙が排紙カバー１８上に排紙されることになる。
【００２７】
なお、本実施例では、レーザダイオード６ａと、ポリゴンミラー６ｂと、感光体ドラム７と、現像器８と、定着ユニット１３とにより画像形成手段２０（図２参照）を構成している。
【００２８】
また、ファクシミリ装置１には、図２に示すように、上述した画像読取手段１１０および画像形成手段２０に加えて、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、操作・表示部２４と、を有しており、これら各部材はＣＰＵバス２５を介して接続されている。
【００２９】
ＣＰＵ２１は、本ファクシミリ装置１および自動原稿搬送装置（ＡＲＤＦ）３０のシーケンスを実行する。また、ＲＯＭ２２には、ＡＲＤＦ３０の制御プログラムが格納されていると共に、ファクシミリ装置１の制御に必要なプログラムが格納されている。また、ＲＡＭ２３は、ワークエリアを構成し、ファクシミリ装置１で使用する各種データを格納する。
【００３０】
ＡＲＤＦ３０は、図１に示すファクシミリ装置１の上部に装着されており、このＡＲＤＦ３０は図示しないヒンジ等によりファクシミリ装置１に連結されており、ファクシミリ装置１に対して開閉自在となっている。
【００３１】
また、このＡＲＤＦ３０の上部には、図３に示すように、原稿載置台３１が設けられており、この原稿載置台３１には複数の原稿からなる原稿束Ｐが載置されるようになっている。この原稿載置台３１に載置された原稿束Ｐは、給紙ベルト３２により給紙されるように構成されている。
【００３２】
また、給紙ベルト３２の下方には押上げ板３３が設けられており、この押上げ板３３は図４に示すようにＣＰＵ２１によって駆動される押上げソレノイド１００により給紙ベルト３２に当接する位置、および、この位置から下方に退避する位置の間に移動され、原稿の給紙時に給紙ベルト３２に当接する位置に移動して給紙ベルト３２により原稿を給紙可能としている。
【００３３】
また、原稿載置台３１の近傍には、光透過型の原稿セットセンサ１０１が設けられており、この原稿セットセンサ１０１は、原稿により押上げられることにより所定位置から退避する図示しないフィラーを検知することにより、原稿の有無を検知して図４に示すＣＰＵ２１に信号を出力するようになっている。
【００３４】
また、給紙ベルト３２は、駆動ローラ３４と従動ローラ３５とにより駆動されるように構成されており、駆動ローラ３４は、給紙クラッチ１０２（図４参照）および図示しないギヤ等を介してステッピングモータ等からなる反転給紙モータ１０３（図４参照）に連結されている。反転給紙モータ１０３は、ＣＰＵ２１からの信号により正・逆回転駆動され、また、給紙クラッチ１０２は、ＣＰＵ２１からの信号によりＯＮ／ＯＦＦ制御されるようになっており、給紙クラッチ１０２がＯＮされると、反転給紙モータ１０３からの駆動力を駆動ローラ３４に伝達することにより、給紙ベルト３２が周回移動されるようになっている。また、給紙ベルト３２には分離ローラ３６が摺接されており、この分離ローラ３６は、反転給紙モータ１０３により駆動されるようになっている。
【００３５】
なお、本実施例では、給紙ベルト３２、および、分離ローラ３６が分離給紙手段を構成しており、この分離給紙手段は、図４に示す反転給紙モータ１０３が所定方向に駆動され、給紙クラッチ１０２がＯＮされると、給紙ベルト３２が時計方向に周回移動されると共に、分離ローラ３６が時計方向に回転されることにより、原稿束Ｐから最上位に位置する原稿を分離することとなる。
【００３６】
また、給紙ベルト３２、および、分離ローラ３６により分離された原稿は、第１搬送路としてターン経路３７を介して密着イメージセンサ２に向かって搬送される。このターン経路３７上には、プルアウト駆動ローラ３８およびプルアウト従動ローラ３９が設けられており、プルアウト駆動ローラ３８は、一方向のみに駆動されるステッピングモータ等からなる搬送モータ１０４により駆動されることにより、プルアウト従動ローラ３９と共に分離された原稿を挟持してターン経路３７に沿って搬送する。
【００３７】
また、ターン経路３７上には、検知手段としてフィルター付きの光反射型のレジストセンサ１０５が設けられており、このレジストセンサ１０５は、原稿の前後端を検知してＣＰＵ２１（図４参照）に信号を出力するようになっている。
【００３８】
ＣＰＵ２１は、このレジストセンサ１０５から原稿の先端検知情報に基づいて給紙クラッチ１０２をＯＦＦすることにより反転給紙モータ１０３からの駆動力を駆動ローラ３４に伝達するのを停止して、給紙ベルト３２を原稿に連れ回りさせる。
【００３９】
また、図３に示すように、密着イメージセンサ２に対して原稿の搬送方向下流側には排紙路４０が設けられており、この排紙路４０上には、補助駆動ローラ４１、および、これに摺接する補助従動ローラ４２と、排紙ローラ４３とこれに摺接する第１従動ローラ４４とが設けられており、補助駆動ローラ４１および排紙ローラ４３は搬送モータ１０４により駆動され、読み取りが終了した原稿を原稿排紙口４６に向かって搬送するようになっている。
【００４０】
また、排紙路４０上には、フィルター付きの光反射型の排紙センサ１０６が設けられており、この排紙センサ１０６は、原稿の前後端を検知してＣＰＵ２１に信号を出力するようになっている。
【００４１】
また、排紙路４０にはスタンプユニット４７が設けられており、このスタンプユニット４７は、スタンプソレノイド１０７によりスタンプを排紙路４０上に出没させることで密着イメージセンサ２を通過した原稿の搬送方向下流側の所定位置に済みスタンプを押印するようになっている。
【００４２】
また、読み取りが終了した原稿は、原稿排紙口４６から排紙トレイ（原稿排紙台）４８、または、反転トレイ（原稿反転台）４９の何れか一方に搬送されるようになっている。反転トレイ４９は、排紙トレイ４８と原稿載置台３１との間で排紙路４０の延長上に設けられており、両面搬送モード時に原稿が一旦排紙されるスイッチバック通路を構成している。
【００４３】
また、原稿排紙口４６の下流側には切換爪（切換手段）５０が設けられており、この切換爪５０は、切換ソレノイド１０８がＯＮされると密着イメージセンサ２を通過した原稿の搬送位置を反転トレイ４９に搬送する第１位置（実線で示す）に切り換えられると共に、切換ソレノイド１０８がＯＦＦになると排紙トレイ４８に排紙する第２位置（破線で示す）の何れか一方に切り換えられるようになっている。
【００４４】
この反転ソレノイド１０８は、ＣＰＵ２１により駆動されるようになっており、ＣＰＵ２１は、原稿の両面搬送モード、または、片面搬送モータの何れか一方が設定されたときに排紙センサ１０６からの出力情報に基づいて切換制御する。
【００４５】
また、反転トレイ４９上には、スイッチバック部材を構成するスイッチバック駆動ローラ５１、および、スイッチバック従動ローラ５２が設けられており、スイッチバック駆動ローラ５１は反転給紙モータ１０３により正・逆回転駆動され、反転給紙モータ１０３の正転駆動時に時計方向に回転して反転トレイ４９に搬送された原稿の後端をスイッチバックポイント５３まで搬送し、反転給紙モータ１０３の逆転駆動時に反時計方向に回転して反転トレイ４９から原稿を搬出するようになっている。
【００４６】
また、反転トレイ４９は、返送路（第２搬送路）５４を介してターン経路３７に接続されており、切換ソレノイド１０８がＯＦＦされて切換爪５０が第２位置に切り換えられたときに、反転トレイ４９と返送路５４とを連通する。また、排紙ローラ４３は第２従動ローラ５５に摺接しており、この第２従動ローラ５５は排紙ローラ４３と共に原稿を挟持して原稿を返送路５４に沿って案内する。
【００４７】
一方、密着イメージセンサ２の上方には原稿の読み取り時の白基準を構成する白圧板１１１が対向しており、密着イメージセンサ２と白圧板１１１との間に原稿の搬送路が形成されている。
【００４８】
白圧板１１１は、密着イメージセンサ２に近接、離隔するように（上下動するように）ＡＲＤＦ３０の図示しない本体フレームに摺動自在に取付けられており、この白圧板１１１は図５に示す移動手段によって上下動される。
【００４９】
図５に示すように移動手段は、回動軸１１２、レバー１１３ａ、１１３ｂ、アーム部
（押圧部材）１１５および白圧板ソレノイド１１８から構成されている。
【００５０】
レバー１１３ａ、１１３ｂは、ネジ１１４ａ、１１４ｂによって回動軸１１２に取り付けられており、この回動軸１１２の端部には、ネジ１１６によりアーム部材１１５が取り付けられている。また、このアーム部材１１５には、白圧板ソレノイド１１８のプランジャ１１９が取り付けられており、プランジャ１１９の穴１１９ａをアーム部材１１５の開口部１１５ａに位置決めして開口部１１５ａおよび穴１１９ａにピン１１７を係合することで、プランジャ１１９がアーム部材１１５に固定されている。
【００５１】
なお、本実施例では、白圧板ソレノイド１１８をＯＦＦにしたときに、図６（ａ）に示すように回動軸１１２が初期回動位置に位置しており、レバー１１３ａ、１１３ｂ上に白圧板１１１が当接して白圧板１１１と密着イメージセンサ２との間の距離が原稿の読み取り最適な隙間に設定されるようになっている。
【００５２】
また、白圧板ソレノイド１１８をＯＮにしたときに、図６（ｂ）に示すように回動軸１１２が初期回動位置から一方に回動し、レバー１１３ａ、１１３ｂにより白圧板１１１を上方に押圧して白圧板１１１を密着イメージセンサ２から離隔させるようになっている。
【００５３】
また、白圧板ソレノイド１１８は、ＣＰＵ２１（図４参照）により駆動されるようになっており、ＣＰＵ２１は、画像の読み取り時に、白圧板ソレノイド１１８をＯＦＦにすると共に、原稿の搬送時で密着イメージセンサ２がＯＦＦ状態にある非読み取り時に、白圧板ソレノイド１１８をＯＮにするようになっている。
【００５４】
次に、図７から図９を参照しながら、本発明にかかる画像読取装置の処理動作について説明する。
【００５５】
まず、オペレータが操作・表示部２４により片面搬送モードを設定すると、ＣＰＵ２１が押し上げソレノイド１００をＯＮにして押上げ板３３を上昇させて原稿束Ｐを給紙ベルト３２に当接させると共に、ＣＰＵ２１が給紙クラッチ１０２をＯＮにして給紙ベルト３２を反転給紙モータ１０３に接続する。
【００５６】
次に、ＣＰＵ２１は、反転給紙モータ１０３を所定方向に正転駆動すると共に、搬送モータ１０４を駆動して給紙ベルト３２および分離ローラ３６により原稿束Ｐから最上位の原稿を分離した後、プルアウト駆動ローラ３８およびプルアウト従動ローラ３９により原稿を密着イメージセンサ２に向かって搬送する。
【００５７】
そして、原稿の先端がレジストセンサ１０５によって検知されたとき、ＣＰＵ２１は、反転給紙モータ１０３と搬送モータ１０４とを一旦停止して、原稿を停止した後、反転給紙モータ１０３と搬送モータ１０４とを再駆動して密着イメージセンサ２上の原稿を読取位置Ｒに向かって搬送する（図７参照）。
【００５８】
そして、レジストセンサ１０５から読取位置Ｒまでの距離を、給紙モータ１０３の回転パルスをカウントするか、または、搬送時間を計時することにより検知して、原稿の先端が読取位置Ｒに到達したときに密着イメージセンサ２により原稿の表面の読み取りを開始する。このとき、白圧板ソレノイド１１８はＯＦＦであるため、白圧板１１１が密着イメージセンサ２に近接した位置に移動しており、原稿は白圧板１１１と密着イメージセンサ２により形成される適正な隙間に通紙されて原稿が密着イメージセンサ２から浮くことがなく密着イメージセンサ２によって読み取られる。
【００５９】
このとき、切換ソレノイド１０８がＯＦＦになるため、図８に示す切換爪５０が排紙トレイ４８に排紙する第２位置（破線で示す）に切り換えられるため、原稿は排紙トレイ４８上に排紙されることになる。
【００６０】
一方、オペレータが操作・表示部２４によって両面搬送モードを設定すると、押上げソレノイド１００をＯＮにして押上げ板３３を上昇させて原稿束Ｐを給紙ベルト３２に当接させると共に、給紙クラッチ１０２をＯＮにして給紙ベルト３２を反転給紙モータ１０３に接続する。
【００６１】
次いで、反転給紙モータ１０３を所定方向に正転駆動すると共に、搬送モータ１０４を駆動して給紙ベルト３２および分離ローラ３６により原稿束Ｐから最上位の原稿を分離した後、プルアウト駆動ローラ３８およびプルアウト従動ローラ３９により原稿を密着イメージセンサ２に向かって搬送する。
【００６２】
そして、原稿の先端がレジストセンサ１０５により検知されたとき、反転給紙モータ１０３、搬送モータ１０４を一旦停止して原稿を停止した後、反転給紙モータ１０３、搬送モータ１０４とを再駆動して密着イメージセンサ２上の原稿を読取位置Ｒに向かって搬送する（図７参照）。
【００６３】
そして、レジストセンサ１０５から読取位置Ｒまでの距離を反転給紙モータ１０３の回転パルスをカウントするか、または、搬送時間を計時することにより検知して、原稿の先端が読取位置Ｒに到達したときに密着イメージセンサ２によって原稿の表面の読み取りを開始する。
【００６４】
このとき、白圧板ソレノイド１１８は、ＯＦＦであるため、白圧板１１１が密着イメージセンサ２に近接した位置に移動しており、原稿は白圧板１１１と密着イメージセンサ２によって形成される適正な隙間に通紙されて原稿が密着イメージセンサ２から浮くことがなく密着イメージセンサ２によって読み取られることになる。
【００６５】
次いで、読取位置Ｒを通過した原稿の先端が排紙センサ１０６によって検知されると、切換ソレノイド１０８をＯＮして切換爪５０を排紙路４０と反転トレイ４９とを連通する第１位置に切り換えて原稿を反転トレイ４９上に搬送する（図９参照）。
【００６６】
次いで、原稿の後端が排紙センサ１０６により検知された時点からスイッチバックポイント５３まで原稿の後端が位置するように搬送モータ１０４の回転パルスをカウントし、原稿の後端がスイッチバックポイント５３まで位置したときに搬送モータ１０４の駆動を停止する。
【００６７】
ここで、排紙センサ１０６からの後端検知情報に基づいて原稿が反転トレイ４９に搬送されたか否かを判別し、搬送が開始されたものと判断したときには、原稿の後端がスイッチバックポイント５３上に停止したか否かを判別する。
【００６８】
次いで、反転センサ１０９により原稿が検知されたか否かを判別し、原稿が検知された場合は、次の動作を実行する。すなわち、原稿の後端がスイッチバックポイント５３に位置したとき、切換ソレノイド１０８をＯＦＦにして反転トレイ４９と返送路５４とを連通すると共に、反転給紙モータ１０３を所定方向と逆方向に駆動してスイッチバック駆動ローラ５１を反時計方向に回転させ、さらに、搬送モータ１０４を駆動して排紙ローラ４３およびプルアウト駆動ローラ４１を反時計方向に回転して原稿を反転トレイ４９から返送路５４を介してターン経路３７に搬送する。このため、原稿の表裏面が反転されてターン経路３７に搬送される。
【００６９】
そして、原稿の先端がレジストセンサ１０５によって検知されたとき、反転給紙モータ１０３と搬送モータ１０４とを一旦停止して、原稿を停止した後、反転給紙モータ１０３と搬送モータ１０４とを再駆動して密着イメージセンサ２上の原稿を読取位置Ｒに向かって搬送する（図７参照）。そして、レジストセンサ１０５から読取位置Ｒまでの距離を反転給紙モータ１０３の回転パルスをカウントするか、または、搬送時間を計時することにより検知して、原稿の先端が読取位置Ｒに到達したときに密着イメージセンサ２によって原稿の裏面の読み取りを開始する。
【００７０】
このとき、白圧板ソレノイド１１８は、ＯＦＦであるため、白圧板１１１が密着イメージセンサ２に近接した位置に移動しており、原稿は白圧板１１１と密着イメージセンサ２によって形成される適正な隙間に通紙されて原稿が密着イメージセンサ２から浮くことがなく密着イメージセンサ２によって読み取られる。
【００７１】
次いで、読取位置Ｒを通過した原稿の先端が排紙センサ１０６により検知されると、切換ソレノイド１０８をＯＮにして切換爪５０を排紙路４０と反転トレイ４９とを連通する第２位置に切り換えて原稿を反転トレイ４９上に搬送する。次いで、原稿の後端が排紙センサ１０６により検知された時点からスイッチバックポイント５３まで原稿の後端が位置するように搬送モータ１０４の回転パルスをカウントし、原稿の後端がスイッチバックポイント５３まで位置したときに搬送モータ１０４の駆動を停止する。
【００７２】
ここで、排紙センサ１０６からの後端検知情報に基づいて原稿が反転トレイ４９に搬送されたか否かを判別し、搬送が開始されたものと判断したときには、原稿の後端がスイッチバックポイント５３上に停止したか否かを判別する。
【００７３】
次いで、反転センサ１０９によって原稿が検知されたか否かを判別し、原稿が検知された場合には、次の動作を実行する。すなわち、原稿の後端がスイッチバックポイント５３に位置した場合には、切換ソレノイド１０８をＯＦＦにして反転トレイ４９と返送路と５４を連通すると共に、反転給紙モータ１０３を所定方向と逆方向に駆動してスイッチバック駆動ローラ５１を反時計方向に回転させ、さらに、搬送モータ１０４を駆動して排紙ローラ４３およびプルアウト駆動ローラ４１を反時計方向に回転して原稿を反転トレイ４９から返送路５４を介してターン経路３７に搬送する。このため、原稿の裏表面が反転されてターン経路３７に搬送される。
【００７４】
そして、原稿の先端がレジストセンサ１０５により検知されたとき、反転給紙モータ１０３と搬送モータ１０４とを一旦停止して、原稿を停止した後、反転給紙モータ１０３と搬送モータ１０４とを再駆動して密着イメージセンサ２上の原稿を読取位置Ｒに向かって搬送する。
【００７５】
このとき、白圧板ソレノイド１１８をＯＮにすることにより、回動軸１１２を一方向に回動させてレバー１１３ａ、１１３ｂによって白圧板１１１を押上げて密着イメージセンサ２から離隔した位置に移動させ、密着イメージセンサ２による原稿の読み取りを行わない。
【００７６】
次いで、切換ソレノイド１０８をＯＦＦにして切換爪５０を排紙路４０と排紙トレイ４８を連通する第１位置に切り換えて原稿を排紙トレイ４８上に搬送する。このため、原稿はウェースダウンで排紙され（図９参照）、以後、後続する両面原稿が上記搬送ルートで搬送されることにより、原稿の頁順序が揃えられる。
【００７７】
このように本実施例では、原稿の読取り時に白圧板１１１を密着イメージセンサ２に近接させるので、密着イメージセンサ２と白圧板１１１との隙間を原稿の読み取りに最適な隙間に設定して両面原稿または片面原稿の読み取り確実に行うことができる。
【００７８】
また、排紙される両面原稿の頁順序を揃えるだけの非読取り時には、白圧板１１１を密着イメージセンサ２から離隔させるので、原稿と密着イメージセンサ２または白圧板１１１が接触する機会を少なくして、密着イメージセンサ２にトナーや紙粉等のごみが付着して汚れてしまうのを防止することができ、読取性能が低下するのを抑制することができる。
【００７９】
また、本実施例では、白圧板ソレノイド１１８によりアーム部材１１５を介して回動軸１１２を回動させることにより、レバー１１３ａ、１１３ｂにより白圧板１１１を押上げることにより、白圧板１１１を密着イメージセンサ２から離隔させることができるので、移動手段の構成の簡素化を図ることができる。
【００８０】
また、本実施例では、ファクシミリ装置１に移動手段を備えたＡＲＤＦ３０を設けたので、読取性能が低下するのを抑制することができ、誤読み取りの少ない画像データを送信することができる。
【００８１】
なお、上記実施例において、キャリアシートを用いて、且つ、両面を読み取る場合、スイッチバックを行わないようにすることとする。これは、キャリアシートを用いて、且つ、両面を読み取る場合に、順序性を保つための搬送（スイッチバック）を行わないことで、シート搬送の回数（表、裏、表（順序性確保のため））を通常３回行うところを２回とすることが可能となり、読み取り時間の短縮、キャリアシートによる白板圧へのダメージを軽減することとなる。以下、キャリアシートを用いて、且つ、両面を読み取る場合に、スイッチバックを行わないようにするための処理動作について説明する。なお、この処理動作を実行するには、図２に示す操作・表示部２４上にキャリアシート両面スイッチを具備することとなる。
【００８２】
まず、図２に示す操作・表示部２４上に具備するキャリアシート両面スイッチをＯＮにした場合、分離ローラ３６で分離された原稿は、プルアウト駆動ローラ３８およびプルアウト従動ローラ３９により密着イメージセンサに向かって搬送される。そして、読み取り部（ＣＳＩ）にて読み取られ、更に、搬送され、切換爪５０は、切換ソレノイド１０８により下方に移動させられて、搬送されたキャリアシートの先端は、スイッチバックローラ５１に？み込みキャリアシートの後端が反転ポイント５３に到達すると、スイッチバックローラ５１を反転させてキャリアシートを搬送することになる。次に、切換ソレノイド１０８がＯＦＦになるため、切換爪５０が、ローラ５５に搬送する位置（破線で示す）に切り換えられ、元の破線位置に戻り、キャリアシートの先端はローラ５５に？み込み、更に搬送され、プルアウト駆動ローラ３８に到達し、読み取り部（ＣＳＩ）に再び送り込まれることになる。そして、画像の読み取り完了後は、キャリアシートの先端が切換爪５０（破線位置）に当たり、下方に誘導され排紙トレイ４８上に排紙されることになる。このように、通常の原稿であれば、裏面を読み取った後、原稿の順序性を確保するため、再度用紙をスイッチバックさせて排紙するが、キャリアシートの場合、複数枚の読み取りはないため、原稿が裏面で排出されても問題は無く、スイッチバックさせずにそのまま排出させることで、画像の読み取り時間を短縮することが可能となる。
【００８３】
なお、次に、キャリアシートで読み取りを行う場合には、白圧板１１１は、上方に移動させた状態で読み取りを行う。通常の原稿では、密着イメージセンサ２と白圧板１１１との隙間を出来るだけ小さくして原稿が密着イメージセンサ２から大きく浮き上がらないようにしているが、キャリアシートの場合は、シート自体に剛性があり、且つ、厚みもあるため、白圧板１１１で押さえる必要も無く、逆に、通常の原稿を読み取る際のままの設定値では、キャリアシートがスムーズに搬送されず、画像のゆがみ等の異常画像、及び、白圧板１１１へ擦り傷等が発生することになる。従って、本実施例では、キャリアシートを読み取る際には、白圧板１１１を上方に移動して読み取りを行うように制御することになる。
【００８４】
また、上記処理動作において、キャリアシートを用いて、且つ、片面を読み取る場合にも、スイッチバックを行わないようにする。この場合も、上記と同様に、図２に示す操作・表示部上にキャリアシート片面ＳＷを具備することとする。
【００８５】
まず、図２に示す操作・表示部２４上に具備するキャリアシート片面スイッチをＯＮにした場合、分離ローラ３６で分離された原稿は、プルアウト駆動ローラ３８およびプルアウト従動ローラ３９により密着イメージセンサに向かって搬送される。そして、読み取り部（ＣＳＩ）にて読み取られ、画像の読み取り完了後は、キャリアシートの先端が切換爪５０（破線位置）に当たり、下方に誘導され排紙トレイ４８上に排紙されることになる。このように、キャリアシートを使用した場合でも、高性能な画像読取装置を実現することが可能となる。
【００８６】
なお、上述する実施例は、本発明の好適な実施例であり、本発明の要旨を逸脱しない範囲において種々変更実施が可能である。例えば、上記実例は、記録媒体の片面を読み取り可能な片面画像読取装置にも適用可能であり、また、上記画像読取手段としては、密着イメージセンサ２に限らず、密着イメージセンサ２の位置にスリットガラスを設け、上述した露光ランプ４ａとミラー４ｂをスリットガラスの下方まで移動させて停止し、露光ランプ４ａによって原稿面を読み取った後、この反射光をミラー４ｂ、レンズ４ｃを介して固体撮像素子４ｄに結像する構成とすることも可能である。
【産業上の利用可能性】
【００８７】
本発明にかかる画像読取装置、片面画像読取装置および画像記録装置は、複写機、ファクシミリ、スキャナ等に適用可能である。
【図面の簡単な説明】
【００８８】
【図１】本発明にかかる画像読取装置の構成を示す概略構成図である。
【図２】本発明にかかる画像読取装置のハード構成を示すブロック図である。
【図３】本発明にかかる画像読取装置に搭載された自動原稿搬送装置の構成を示す概略構成図である。
【図４】本発明にかかる画像形成装置の搭載された自動原稿搬送装置の駆動系、センサ系のブロック図である。
【図５】本発明にかかる移動手段の分解構成図である。
【図６】（ａ）は移動手段により白圧板を押上げない状態を示す図であり（ｂ）は移動手段により白圧板を押上げた状態を示す図である。
【図７】自動原稿搬送装置における搬送動作を示す第１の説明図である。
【図８】自動原稿搬送装置における搬送動作を示す第２の説明図である。
【図９】自動原稿搬送装置における搬送動作を示す第３の説明図である。
【符号の説明】
【００８９】
１    ファクシミリ装置（画像読取装置）
２    密着イメージセンサ（読取部材、画像読取手段）
３０    ＡＲＤＦ（自動原稿搬送装置）
３１    原稿載置台
３２    給紙ベルト
３６    分離ローラ
３７    ターン経路
４０    排紙路
４８    排紙トレイ
４９    反転トレイ
５０    切換爪
５１    スイッチバック駆動ローラ
５２    スイッチバック従動ローラ
５４    返送路
１１０    画像読取手段
１１２    回動軸（移動手段）
１１３ａ、１１３ｂ    レバー（移動手段）
１１５    アーム部材（移動手段）
１１８    白圧板ソレノイド（移動手段）
Ｐ    原稿束
【図１】
2005082274.tif 000003
【図２】
2005082274.tif 000004
【図３】
2005082274.tif 000005
【図４】
2005082274.tif 000006
【図５】
2005082274.tif 000007
【図６】
2005082274.tif 000008
【図７】
2005082274.tif 000009
【図８】
2005082274.tif 000010
【図９】
2005082274.tif 000011